(57)【要約】【課題】湛水直播機において播種装置の種子排出部に飛散物が付着することによって、播種機の種子排出部から種子を排出するときに当該種子が播種機の種子排出部に付着し易くなること、を防止することができる技術を提供することを課題とする。【解決手段】種子を排出する種子排出部３４を備える播種装置３０と、肥料を排出する肥料排出部４４を備える施肥装置４０と、施肥装置４０における肥料を排出するときの肥料排出部４４からの風によって飛散する飛散物が、播種装置３０の種子排出部３４に付着することを防止する防止部５０と、を具備する、湛水直播機２０とする。【選択図】図２
2014135923.tif 000002
【特許請求の範囲】
【請求項１】
種子を排出する種子排出部を備える播種装置と、
肥料を排出する肥料排出部を備える施肥装置と、
前記施肥装置における肥料を排出するときの前記肥料排出部からの風によって飛散する飛散物が、前記播種装置の種子排出部に付着することを防止する防止部と、を具備する、
湛水直播機。
【請求項２】
前記防止部は、前記播種装置の種子排出部と前記施肥装置の肥料排出部との間を仕切るように構成される、
請求項１に記載の湛水直播機。
【請求項３】
前記防止部は、前記播種装置の種子排出部よりも後方に突出するように構成される、
請求項１または請求項２に記載の湛水直播機。
【発明の詳細な説明】
【技術分野】
【０００１】
本発明は、湛水直播機の技術に関する。
【背景技術】
【０００２】
従来、水を湛えた状態の水田に粒状の水稲の種子を直接播くように構成される湛水直播機に関する技術は、種々知られている。
前記湛水直播機には、走行機体に挿着され、播種装置と、施肥装置と、を具備して構成されるものが公知となっている（特許文献１参照）。
前記湛水直播機の播種装置は、繰出装置を動作させることによって、ホッパに収納される種子を繰出して、種子排出部から当該種子を排出するように構成される。
前記湛水直播機の施肥装置は、ブロア等の風によってホッパに収納される肥料を肥料排出部から排出するように構成される。
【先行技術文献】
【特許文献】
【０００３】
【特許文献１】特開２０１０−１９３７７３号公報
【発明の概要】
【発明が解決しようとする課題】
【０００４】
しかしながら、前記湛水直播機では、播種装置の種子排出部から種子を排出するときに、当該種子が種子排出部に付着してしまう場合がある。
そして、前記湛水直播機においては、播種機の種子排出部に種子が付着し易い場合には、意図するように種子排出部から種子が排出されないこと、また、種子排出部に種子が溜まること、等が生じ易くなるため、播種機の種子排出部には種子が付着し難いことが望ましい。
【０００５】
ここで、前記湛水直播機では、施肥装置が肥料排出部から肥料を排出するときに肥料とともに風が排出されるため、当該肥料排出部からの風に、例えば圃場が吹付けられて、当該圃場から泥水等の飛散物（圃場の泥水）が飛散する場合がある。
そして、前記湛水直播機では、前記施肥装置の肥料排出部からの風によって飛散物が飛散すると、当該飛散物が前記播種装置の種子排出部に付着する場合がある。
このように、前記湛水直播機では、播種装置の種子排出部に飛散物が付着することによって、播種機の種子排出部から種子を排出するときに当該種子が播種機の種子排出部に付着し易くなる。
【０００６】
本発明は以上の如き状況に鑑みてなされたものであり、湛水直播機において播種装置の種子排出部に飛散物が付着することによって、播種機の種子排出部から種子を排出するときに当該種子が播種機の種子排出部に付着し易くなること、を防止することができる技術を提供することを課題とする。
【課題を解決するための手段】
【０００７】
本発明の解決しようとする課題は以上の如くであり、次にこの課題を解決するための手段を説明する。
【０００８】
即ち、請求項１においては、種子を排出する種子排出部を備える播種装置と、肥料を排出する肥料排出部を備える施肥装置と、前記施肥装置における肥料を排出するときの前記肥料排出部からの風によって飛散する飛散物が、前記播種装置の種子排出部に付着することを防止する防止部と、を具備する、湛水直播機とするものである。
【０００９】
請求項２においては、前記防止部は、前記播種装置の種子排出部と前記施肥装置の肥料排出部との間を仕切るように構成されるものである。
【００１０】
請求項３においては、前記防止部は、前記播種装置の種子排出部よりも後方に突出するように構成されるものである。
【発明の効果】
【００１１】
本発明の効果として、以下に示すような効果を奏する。
【００１２】
即ち、本発明によれば、播種装置の種子排出部に飛散物が付着することによって、播種機の種子排出部から種子を排出するときに当該種子が播種機の種子排出部に付着し易くなること、を防止することができる。
【図面の簡単な説明】
【００１３】
【図１】本発明の実施形態に係る湛水直播機が装着される走行機体の全体的な構成を示す側面図。
【図２】本発明の実施形態に係る湛水直播機を示す斜視図。
【図３】同じく側面図。
【図４】同じく底面図。
【発明を実施するための形態】
【００１４】
次に、発明の実施形態に係る湛水直播機について図１から図４を用いて説明する。
なお、図中において示す矢印Ｆは前方を示すものとして説明する。
【００１５】
湛水直播機２０は、走行機体１に挿着されて、水を湛えた状態の水田に粒状の水稲の種子を直接播くものである。
走行機体１は、図１に示すように、走行部２と昇降リンク機構３とを具備し、走行部２の後部に昇降リンク機構３が配置されて構成される。
走行機体１は、昇降リンク機構３を介して湛水直播機２０が走行機体１に装着されて、昇降リンク機構３によって湛水直播機２０を昇降可能に構成される。
【００１６】
走行機体１の走行部２は、エンジン４が機体の前部に設けられて構成される。走行部２のエンジン４は、ボンネット５により被覆される。走行部２は、ミッションケースが機体の前部に支持されるとともにエンジン４の後下方に配置されて構成される。走行機体１の走行部２は、操向ハンドルや各種操作ペダル等を有する運転操作装置１０が、機体の前後中途部に設けられて構成される。
【００１７】
走行機体１の走行部２は、フロントアクスルケース６が機体の前部に支持され、前車輪７がフロントアクスルケース６の左右両側に支承されて構成される。走行部２は、リアアクスルケース８が機体の後部に支持され、後車輪９が当該リアアクスルケース８の左右両側に支承されて構成される。
走行部２は、エンジン４の動力が前記ミッションケースを介して左右の前車輪７と左右の後車輪９とにそれぞれ伝達されて前車輪７および後車輪９が回転駆動して、前進または後進走行可能に構成される。
【００１８】
湛水直播機２０は、図１乃至図４に示すように、フロート２１と、マーカー２２と、播種装置３０と、施肥装置４０と、防止部５０と、泥除部６０と、を具備する。
湛水直播機２０のフロート２１は、センターフロートとサイドフロート等からなり、フレームに取付けられて泥中（圃場中）に沈まないように湛水直播機２０を支持する。湛水直播機２０のマーカー２２は、枕地で回行して次の条の播種をおこなう時の目印を田面上に付けるものであり、フレームの左右両側に上下回動可能に支持される。
【００１９】
湛水直播機２０の播種装置３０は、粒状の種子を点播するように圃場に播くものであり、ホッパ３１と、繰出装置３２と、ケース３３と、種子排出部３４と、カバー３５と、を備えて構成される。
播種装置３０のホッパ３１は、複数個の粒状の種子が収容されるものである。
播種装置３０の繰出装置３２は、ホッパ３１の下方に配置されて、ホッパ３１に収納される種子を繰出すように構成される。播種装置３０の繰出装置３２は、左右方向に条数分複数台（例えば、８台）並べて配置される。
播種装置３０のケース３３は、繰出装置３２の下方にそれぞれ配置されて、左右方向に条数分複数台（例えば、８台）並べて配置される。播種装置３０のケース３３は、筒状に構成される。
播種装置３０の種子排出部３４は、種子を排出するように構成される。播種装置３０の種子排出部３４は、それぞれのケース３３の下方の開口で構成される。
播種装置３０のカバー３５は、後方側が開放するように平板状の部材が平面視略コ字状に形成されて構成される。播種装置３０のカバー３５は、それぞれの種子排出部３４（ケース３３の下方の開口）の前方および左右をカバー３５の上部で囲むとともに、カバー３５の上部以外の部分（上下中途部および下部）が種子排出部３４の下方に位置するように、それぞれ配置される。
播種装置３０は、エンジン４からの動力を伝達して繰出装置３２を動作させることによって、ホッパ３１に収納される種子を繰出して、種子排出部３４から当該種子を排出するように構成される。
【００２０】
湛水直播機２０の施肥装置４０は、肥料を間欠的に圃場に施すものであり、ホッパ４１と、ホース４２と、ケース４３と、肥料排出部４４と、カバー４５と、を備えて構成される。
施肥装置４０のホッパ４１は、複数個の粒状の肥料が収容されるものである。施肥装置４０のホッパ４１は、播種装置３０のホッパ３１の前上方（走行機体１の後部）に配置される。
施肥装置４０のホース４２は、ホッパ４１の下方に配置される。施肥装置４０のホース４２は、左右方向に条数分複数台（例えば、８台）並べて配置される。
施肥装置４０のケース４３は、ホース４２の下方にそれぞれ配置されて、左右方向に条数分複数台（例えば、８台）並べて配置される。施肥装置４０のケース４３は、筒状に構成される。
施肥装置４０の肥料排出部４４は、肥料を排出するように構成される。施肥装置４０の肥料排出部４４は、それぞれのケース４３の下方の開口で構成される。
施肥装置４０のカバー４５は、後方側が開放するように平板状の部材が平面視略コ字状に形成されて構成される。施肥装置４０のカバー４５は、それぞれの肥料排出部４４（ケース４３の下方の開口）にカバー４５の上部が嵌挿されるとともに、カバー４５の上部以外の部分（上下中途部および下部）が肥料排出部４４の下方に位置するように、それぞれ配置される。
施肥装置４０は、エンジン４からの動力を伝達して、ブロア等の風によって、ホッパ４１に収納される肥料を、ホース４２を介して肥料排出部４４から排出するように構成される。
【００２１】
湛水直播機２０は、播種装置３０の種子排出部３４と施肥装置４０の肥料排出部４４とを近傍に配置して構成される。湛水直播機２０は、播種装置３０の種子排出部３４と施肥装置４０の肥料排出部４４とを互いに近接する配置して構成される。湛水直播機２０は、播種装置３０の種子排出部３４と施肥装置４０の肥料排出部４４とを左右に並べるように配置されて構成される。
【００２２】
湛水直播機２０は、施肥装置４０の肥料排出部４４の開口（肥料を排出する開口）が、播種装置３０の種子排出部３４の開口（種子を排出する開口）よりも下方に位置するように配置される。
湛水直播機２０は、施肥装置４０の肥料排出部４４の開口（肥料を排出する開口）が、播種装置３０の種子排出部３４の開口（種子を排出する開口）よりも前方に位置するように配置される。
【００２３】
湛水直播機２０の防止部５０は、施肥装置４０の肥料の排出部からの風によって飛散する飛散物が播種装置３０の種子の排出部に付着することを防止するように構成される。
【００２４】
以上のように、施肥装置４０における肥料を排出するときの肥料排出部４４からの風によって飛散する飛散物が、播種装置３０の種子排出部３４に付着することを防止する防止部５０、を具備する、湛水直播機２０では、施肥装置４０の肥料排出部４４からの風によって飛散する飛散物（例えば、圃場の泥水）が播種装置３０の種子排出部３４に付着することを防止することができる。
したがって、湛水直播機２０では、播種装置３０の種子排出部３４に飛散物が付着することによって、播種機の種子排出部３４から種子を排出するときに当該種子が播種機の種子排出部３４に付着し易くなること、を防止することができる。
【００２５】
湛水直播機２０の防止部５０は、立板５１と横板５２とを備えて構成される。
防止部５０は、立板５１の上端部から側方（やや斜め下方に向かって）に横板５２が突出するように立板５１の上端部に横板５２の一端部が固定されて、背面視略Ｖ字状に構成される。
【００２６】
湛水直播機２０の防止部５０は、播種装置３０の種子排出部３４の後方の空間と施肥装置４０の肥料排出部４４の後方の空間とに位置するように配置される。
防止部５０は、播種装置３０のそれぞれのカバー３５（カバー３５の上下中途部）に取付けられる。防止部５０は、播種装置３０のカバー３５における左右側面のうち施肥装置４０側に近接する側の面に防止部５０の立板５１が固定されて、播種装置３０のカバー３５が取付けられる。
防止部５０は、立板５１が種子排出部３４の下方（施肥装置４０側に近接する側の下方）に位置するように配置される。
防止部５０は、横板５２が、施肥装置４０の肥料排出部４４の直近の後方に位置するとともに、施肥装置４０の肥料排出部４４の排出口の上方近傍に位置するように、配置される。
このように、防止部５０は、播種装置３０の種子排出部３４の後方の空間と施肥装置４０の肥料排出部４４の後方の空間とに位置するように配置されて、種子排出部３４と施肥装置４０の肥料排出部４４との間を仕切る（遮蔽する）ように構成される。
【００２７】
以上のように、湛水直播機２０の防止部５０が播種装置３０の種子排出部３４と施肥装置４０の肥料排出部４４との間を仕切るように構成される、湛水直播機２０では、施肥装置４０の肥料排出部４４からの風によって飛散する飛散物が播種装置３０の種子排出部３４に付着することを防止することができる。
したがって、湛水直播機２０によれば、播種装置３０の種子排出部３４に飛散物が付着することによって、播種機の種子排出部３４から種子を排出するときに当該種子が播種機の種子排出部３４に付着し易くなること、を防止することができる。
【００２８】
湛水直播機２０の防止部５０は、播種装置３０の種子排出部３４よりも後方に突出するように構成される。
防止部５０は、播種装置３０の種子排出部３４の後方の空間から播種装置３０の種子排出部３４よりも後方の空間に渡るように配置されて構成される。
防止部５０は、施肥装置４０の肥料排出部４４の直近の後方から播種装置３０の種子排出部３４よりも後方に渡るように配置されて構成される。
【００２９】
以上のように、防止部５０が播種装置３０の種子排出部３４よりも後方に突出するように構成される湛水直播機２０では、播種装置３０の種子排出部３４および施肥装置４０の肥料排出部４４の後方において肥料排出部４４からの風によって飛散する飛散物が、播種装置３０の種子排出部３４から播種装置３０の種子排出部３４に至ることをより確実に防止することができる。
したがって、湛水直播機２０によれば、施肥装置４０の肥料排出部４４からの風によって飛散する飛散物が播種装置３０の種子排出部３４に付着することをより確実に防止することができる。
【００３０】
湛水直播機２０の泥除部６０は、走行機体１が走行したときにフロート２１によって跳ね上げられた、例えば、圃場の泥、水、または、泥水等の飛散物が、播種装置３０の種子排出部３４に至ることを防止するように構成される。泥除部６０は、播種装置３０の前方においてフロート２１によって跳ね上げられた飛散物が、播種装置３０の前方から播種装置３０の種子排出部３４に至ることを防止するように構成される。
【００３１】
湛水直播機２０の泥除部６０は、平板状に形成される。
泥除部６０は、播種装置３０の種子排出部３４とフロート２１の前端部との間を仕切る（遮蔽する）ように構成される。
泥除部６０は、播種装置３０のそれぞれのケース３３（ケース３３の前面）に取付けられる。
泥除部６０は、播種装置３０の種子排出部３４の前方に配置される。泥除部６０は、播種装置３０のケース３３の前面の上端から上方に突出するように配置される。泥除部６０は、播種装置３０のケース３３の上端から、種子排出部３４の上部に渡るように配置される。
【００３２】
以上のように、走行機体１が走行したときにフロート２１によって跳ね上げられた飛散物が播種装置３０の種子排出部３４に至ることを防止するように構成される湛水直播機２０の泥除部６０を具備する湛水直播機２０では、走行機体１が走行したときにフロート２１によって跳ね上げられた飛散物が播種装置３０の種子排出部３４に付着することを防止することができる。
【符号の説明】
【００３３】
２０    湛水直播機
３０    播種装置
３１    ホッパ
３２    繰出装置
３３    ケース
３４    種子排出部
３５    カバー
４０    施肥装置
４１    ホッパ
４２    ホース
４３    ケース
４４    肥料排出部
４５    カバー
５０    防止部
【図１】
2014135923.tif 000003
【図２】
2014135923.tif 000004
【図３】
2014135923.tif 000005
【図４】
2014135923.tif 000006